(57)【要約】      （修正有）【課題】案内看板としての役目を積極的・効果的に果たす看板と、そのような看板を工業的に大量生産できる看板製造方法を提供する。【解決手段】粘着性を有する素材でコーティングされた表面を有する幕体１００と、前記幕体が貼付されるための枠組み２００と、前記幕体のコーティングされた面上にインクジェット式で所望の文字形態もしくは線画形態に転写されたインクとを具備する。このとき、前記幕体は布製であり前記線画は案内地図であるように構成しても良い。あるいは、前記幕は布製であり前記線画はグラデーションを用いた色彩表現であるに構成することもできる。看板の表示板にポリエステルの布を用いることにより、表面をのりでコーティングすることが可能になり、さらに、のりによるコーティングにすることにより、インクジェットプリンターを利用することが可能になる。【選択図】図１
2008176077.tif 000002
【特許請求の範囲】
【請求項１】
粘着性を有する素材でコーティングされた表面を備える幕体と、
前記幕体が貼付されるための枠組みと、
前記幕体のコーティングされた面上にインクジェット式で所望の文字形態もしくは線画形態に転写されたインクと
を具備することを特徴とする看板。
【請求項２】
前記幕体は布製であり前記線画は案内地図であることを特徴とする請求項１記載の看板。
【請求項３】
前記幕は布製であり前記線画はグラデーションを用いた色彩表現であることを特徴とする請求項１記載の看板。
【請求項４】
枠組みに布製の幕を貼付させた看板における幕体の表面を粘着性を有する素材でコーティングする工程と、
前記幕体のコーティングされた面にインクジェット式で所望の文字及び模様を転写する工程と、
前記転写を施された幕体を前記枠組みに固定する工程と
を具備することを特徴とする看板製造方法。
【発明の詳細な説明】
【技術分野】
【０００１】
本発明は、たとえば各種催し物や式典の案内に用いられる看板及び看板製造方法に係り、特に表面の印字面にグラデーションによる特殊効果表現や案内地図が印字とは別に施された看板及び看板製造方法に関する。
【背景技術】
【０００２】
従来より、たとえば葬儀場の葬儀看板や葬儀場への途上の随所に仮設的に設置される案内看板は、通常、木による枠組みを形成し、この上に布製の幕を一定の引張強度を加えた状態で貼付・固定して製造される。
従来のこの種の立て看板は、通常の布（たとえば綿とポリエステルの合成繊維）をそのまま用いていたので、シルク印刷しか行うことができず、その結果、黒色の文字や記号だけを表示するためのものだった。典型的には「○○家葬儀会場  次の交差点を右折」など、文字で情報を伝える形態に限定されざるを得なかった。そのため、案内看板としての役割を担うはずの看板であるにも拘らず、看板を見た人は正確な場所が分からず迷うことも多かった。特に、葬儀等の周囲に土地勘のない人間が多く集まるイベントに用いられる看板の場合には、文字情報のみにて複雑な道順を案内するのには限界があった。
他方、この種の立て看板は、味気なく印象に薄いものとなりがちでもあった。
【特許文献１】特開２００１−１３４１９１号公報
【特許文献２】特開２００１−３１８６３５号公報
【特許文献３】特開平１１‐３１５５１４号公報
【発明の開示】
【発明が解決しようとする課題】
【０００３】
このように、従来の立て看板は、案内看板として利用されるものではあっても、文字のみによる表示によっていたため、看板を見た人は正確な場所が分からず迷うことも多かった。また、この種の立て看板は、黒一色の文字のみの装飾だったため、味気なく印象に薄いものとなりがちだった。
本発明は、上記の従来の問題点を解決するためになされたもので、その目的とするところは、案内看板としての役目を積極的・効果的に果たす看板と、そのような看板を工業的に大量生産できる看板製造方法を提供することである。さらに本発明は、顕示性、演出効果を増大させる看板及び看板製造方法を提供することにある。
【課題を解決するための手段】
【０００４】
かかる目的を達成するために、本発明は、粘着性を有する素材でコーティングされた表面を有する幕体と、前記幕体が貼付されるための枠組みと、前記幕体のコーティングされた面上にインクジェット式で所望の文字形態もしくは線画形態に転写されたインクとを具備することを特徴とする。このとき、前記幕体は布製であり前記線画は案内地図であるように構成しても良い。あるいは、前記幕は布製であり前記線画はグラデーションを用いた色彩表現であるに構成することもできる。
【０００５】
これらのように構成されることで、本発明に係る立て看板は、本体表示板にポリエステル布を用い、表面をのりでコーティングし、インクジェットプリンターを利用することができ、それにより、看板の表示を文字だけでなく、カラフルな挿絵、地図なども表示できるようになる。
【０００６】
或いは、看板製造方法に係る本発明は、枠組みに布製の幕を貼付させた看板における幕体の表面を粘着性を有する素材でコーティングする工程と、前記幕体のコーティングされた面にインクジェット式で所望の文字及び模様を転写する工程と、前記転写を施された幕体を前記枠組みに固定する工程とを具備することを特徴とする。
【０００７】
このような構成を具備することにより、粘着性素材でコーティングする工程と、インクをインクジェット式で転写する工程とを区別でき、看者に強烈な印象を与えることができる看板を工業的に大量生産することができる。
【発明の効果】
【０００８】
本発明により、まず従来より顕示性、演出効果に優れたグラデーションを用いた挿絵入りの看板を提供できるようになる。そうすることにより、味気ない印象に薄い看板になりがちだった、立て看板を芸術的で視覚効果があり、独特の美意識を刺激する印象深いものとすることができる。また、地図を施した看板によって、これを見た人は、たとえ周囲の土地勘がなく遠方から訪れた一般人であっても、文字情報とは異なる絵情報としての正確な地図を見ることにより地理情報をイメージ的に把握できるから、スムーズに目的地に到着することができるようになる。
【発明を実施するための最良の形態】
【０００９】
以下、図面を参照して本発明を実施するための最良の形態について説明する。
図１は本発明の一実施形態に係る、グラデーションを施した絵情報及び文字情報が転写された看板幕を持った看板の一例について示した図である。
同図に示すように、本発明に係る看板１０は、幕体１００と、幕体１００を一定張力のもと引っ張った上体で固定するための枠組み２００と、枠組み２００を重力に抗して安定的に支えるための支持体３００とを備えて構成される。
幕体１００は布、紙等であってよく、より望ましくはポリエステル布に粘着性を有する素材（たとえばのり）をコーティングしたものを使用する。幕体１００上には、看板の所望の文字情報１０１と、グラデーションを含んでよい絵等のイメージ情報１０３がインクジェット式で印刷されて構成される。従来は単に看板用の布では文字情報しか使用に堪える形では印字できなかったが、本発明においては、ポリエステル布に粘着性を有する素材（たとえばのり）をコーティングしたものを予め準備することにより、これをたとえばインクジェット式プリンタを用いて転写することにより、文字情報のみならず絵等のデザインイメージを自由に印刷することができる。さらに、色の組合せが可能になるので、従来のほぼモノクロの味気ない看板を脱したデザインにより看者に対して強烈な訴求力を有する看板を実現することができる。
枠組み２００及び支持体３００は木、金属、プラスチック等の一定の剛性を有する素材で構成することができ、より望ましくは木製の角材を組合せ、接合箇所を釘、螺子、もしくは接着剤等で緊結した枠組みとする。
図２は、本発明のまた別の実施形態として、本発明に係る看板１０の幕体１００上に、文字情報１０１に加え、そのたとえば上部に会場場所を示す地図を表したイメージ情報１０２を印刷した一例について示した図である。本図に示すように、上記の構成の幕体１００によれば、このような地図情報も、デジタルデータとしてたとえばコンピュータのイメージ情報として処理し、適宜印刷ソフトから稼動されるインクジェット式プリンタでの印字に載せられるので、従来の文字情報以上の地図情報を併せて印字することができる。これにより、看板としての機能性、利便性は格段に向上する。
図３は、本発明における表示板の製造過程を説明するための斜視図である。同図に示されるように、本発明に係る看板１０の幕体１００は、まずポリエステル布１０５の上にのり１０４でコーティングする。次に、このコーティングされたポリエステル布１０５、インクジェット式プリンタを利用して所望の文字情報、イメージ情報を印字する。一定の状態で乾燥、養生させた後に、枠組み２００にポリエステル布１０５を被せ、一定の引張強度を持たせて張った状態で枠組み２００に貼付、固定する。このような段階を追って看板を製造することにより、従来には製造されえなかったカラフルなグラデーションを施した看板が工業的に生産することができるようになる。
本発明に係る幕体を枠組みに固定する場合には、たとえば（図示しない）接着剤を幕体裏面の一部もしくは全部面に塗布してこれを枠組みに圧着させることで貼付してもよいし、或いは、幕体の表面から枠組みに釘・螺子等で固定させるようにさせてもよい。
【００１０】
以上、詳細に説明したように、本発明に係る看板によれば、文字情報と併せて、或いは文字情報に限らず、地図情報も、デジタルデータとしてたとえばコンピュータのイメージ情報として処理し、適宜印刷ソフトから稼動されるインクジェット式プリンタでの印字に載せられるので、従来の文字情報以上の地図情報を併せて印字することができる。これにより、看板としての機能性、利便性は格段に向上する。
【００１１】
なお、本願発明は、上述した実施形態に限定されるものでなく、その技術思想の同一及び等価に及ぶ範囲において上述した実施形態への様々な変形、追加、置換、拡大、縮小等を許容するものである。
【００１２】
さらに、上述したものは本願に係る技術思想を具現化するための実施形態の一例を示したにすぎないものであり、他の実施形態でも本願に係る技術思想を適用することが可能である。たとえば、上記では看板の形状として、見付面略長方形のものを例にとって説明したが、形状は長方形に限られることなく、たとえば、円形、楕円形、長方形以外の多角形等、いろいろな種類のものが可能であり、これらの形状と上記のイメージ情報の印字とを組み合わせれば、今までになかった看板を世に提供することが可能となり、看者の目を一層引く可能性が高まる。
【００１３】
また、本願発明を用いて生産される看板及び看板製造方法が、その２次的生産品に登載されて商品化された場合であっても、本願発明の価値は何ら減ずるものではない。
【産業上の利用可能性】
【００１４】
本発明に係る看板および看板製造方法によれば、工業、商業を問わず広く各産業に利用することができる。
【図面の簡単な説明】
【００１５】
【図１】本発明の一実施形態に係る、グラデーションを施した絵情報及び文字情報が転写された看板幕を持った看板の一例について示した図である。
【図２】本発明のまた別の実施形態として、会場場所を示す地図を表したイメージ情報を印刷した一例について示した図である。
【図３】本発明における表示板の製造過程を説明するための斜視図である。
【符号の説明】
【００１６】
１０  看板
１００  幕体
１０１  文字情報
１０２  イメージ情報
１０３  イメージ情報
１０４  のり
１０５  ポリエステル布
２００  枠組み
３００  支持体
【図１】
2008176077.tif 000003
【図２】
2008176077.tif 000004
【図３】
2008176077.tif 000005